【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
金融商品の売買取引を管理する金融商品取引管理装置であって、
ユーザから入力された、前記金融商品の売買注文を行うための売買注文申込情報を受け付ける注文入力受付手段と、
該注文入力受付手段が受け付けた前記売買注文申込情報に基づいて金融商品の注文情報を生成する注文情報生成手段と、
前記注文情報生成手段が生成した前記注文情報を記録手段に記録させると共に該記録手段における前記注文情報の記録状態を管理する記録管理手段と、
前記金融商品の相場情報を取得する相場情報取得手段と
を備え、
前記注文情報生成手段は、一の前記売買注文申込情報に基づいて、同一種類の前記金融商品を一の価格について指値注文又は逆指値注文する前記注文情報としての第一注文情報と、前記金融商品を他の価格についてそれぞれ指値注文又は逆指値注文する前記注文情報としての第二注文情報とを備える注文情報群を複数生成することを特徴とする金融商品取引管理装置。
【請求項２】
前記相場情報が任意の価格になった時に前記注文情報を約定させる約定情報生成手段を備え、
前記注文情報は、未約定状態及び約定状態の何れであるかを決定する注文状態情報を備え、
前記約定情報生成手段は、前記第一注文情報及び前記第二注文情報を約定させる際に、前記注文状態情報を前記未約定状態から前記約定状態に変換させることを特徴とする請求項１に記載の金融商品取引管理装置。
【請求項３】
前記約定情報生成手段は、
前記の注文情報群を構成する前記第一注文情報及び前記第二注文情報とを逆の順番に約定させることを特徴とする請求項１又は２に記載の金融商品取引管理装置。
【請求項４】
前記注文情報は、指値注文及び逆指値注文の何れであるかを決定する注文条件情報を備えることを特徴とする請求項１乃至３の何れか一つに記載の金融商品取引管理装置。
【請求項５】
一組の前記注文情報群のうち一方の注文情報群は、前記第一注文情報及び前記第二注文情報よりも低い価格について売りの逆指値注文をする第三注文情報を備え、他方の前記注文情報群は、前記第一注文情報及び前記第二注文情報よりも高い価格について買いの逆指値注文をする第四注文情報を備え、
前記第三注文情報又は前記第四注文情報が約定された場合、前記一組の注文情報群を形成する約定されていない前記注文情報を全てキャンセル処理することを特徴とする請求項４に記載の金融商品取引管理装置。
【請求項６】
前記一組の注文情報群は、前記第一注文情報が発注時の前記金融商品の相場価格以下の価格又は発注時の前記金融商品の相場価格よりも下の価格で、前記第二注文情報が発注時の前記金融商品の相場価格以上の価格又は発注時の前記金融商品の相場価格よりも上の価格でそれぞれ発注され、
前記第一注文情報は買いの指値注文、前記第二注文情報は売りの指値注文として発注されることを特徴とする請求項５に記載の金融商品取引管理装置。
【請求項７】
前記一組の注文情報群は、前記第一注文情報及び前記第二注文情報が発注時の前記金融商品の相場価格以上の価格又は発注時の前記金融商品の相場価格よりも上の価格でそれぞれ発注され、
前記一方の注文情報群の前記第一注文情報は買いの逆指値注文、前記第二注文情報は売りの指値注文として発注され、
前記他方の注文情報群の前記第一注文情報は買いの指値注文、前記第二注文情報は売りの指値注文として発注されることを特徴とする請求項５に記載の金融商品取引管理装置。
【請求項８】
前記一組の注文情報群は、前記第一注文情報及び前記第二注文情報が発注時の前記金融商品の相場価格以下の価格又は発注時の前記金融商品の相場価格よりも下の価格でそれぞれ発注され、
前記一方の注文情報群の前記第一注文情報は買いの指値注文、前記第二注文情報は売りの指値注文として発注され、
前記他方の注文情報群の前記第一注文情報は買いの指値注文、前記第二注文情報は売りの逆指値注文として発注されることを特徴とする請求項５に記載の金融商品取引管理装置。
【請求項９】
金融商品の売買取引を管理する金融商品取引管理装置において行われる金融商品取引管理方法であって、
ユーザから入力された、前記金融商品の売買注文を行うための売買注文申込情報を受け付ける注文入力受付手段において行われる注文入力受付手順と、
該注文入力受付手順において受け付けられた前記売買注文申込情報に基づいて金融商品の注文情報を生成する注文情報生成手段において行われる注文情報生成手順と、
前記注文情報生成手順において生成された前記注文情報を記録手段に記録させると共に該記録手段における前記注文情報の記録状態を管理する取引管理手段において行われる記録管理手順と、
前記金融商品の相場情報を取得する相場情報取得手段において行われる相場情報取得手順とを備え、
前記注文情報生成手順においては、前記注文情報生成手段によって、一の前記売買注文申込情報に基づいて、同一種類の前記金融商品を一の価格について指値注文又は逆指値注文する前記注文情報としての第一注文情報と、前記金融商品を他の価格についてそれぞれ指値注文又は逆指値注文する前記注文情報としての第二注文情報とを備える注文情報群が複数生成されることを特徴とする金融商品取引管理方法。
【請求項１０】
コンピュータを、請求項１乃至請求項８の何れか一つに記載の金融商品取引管理装置として機能させることを特徴とするプログラム。
【手続補正２】
【補正対象書類名】明細書
【補正対象項目名】発明の名称
【補正方法】変更
【補正の内容】
【発明の名称】金融商品取引管理装置、金融商品取引管理方法、プログラム
【手続補正３】
【補正対象書類名】明細書
【補正対象項目名】０００５
【補正方法】変更
【補正の内容】
【０００５】
本発明は上記の問題に鑑みてなされたものであり、金融商品の指値注文において、システムを利用する顧客が煩雑な注文手続を行うことなく、リスクを回避しつつ収益機会を十分に活用して合理的な取引を行える金融商品取引管理装置、金融商品取引管理方法を提供することを課題としている。
【手続補正４】
【補正対象書類名】明細書
【補正対象項目名】０００６
【補正方法】変更
【補正の内容】
【０００６】
かかる課題を達成するために、請求項１に記載の発明は、金融商品の売買取引を管理する金融商品取引管理装置であって、ユーザから入力された、前記金融商品の売買注文を行うための売買注文申込情報を受け付ける注文入力受付手段と、該注文入力受付手段が受け付けた前記売買注文申込情報に基づいて金融商品の注文情報を生成する注文情報生成手段と、前記注文情報生成手段が生成した前記注文情報を記録手段に記録させると共に該記録手段における前記注文情報の記録状態を管理する記録管理手段と、前記金融商品の相場情報を取得する相場情報取得手段とを備え、前記注文情報生成手段は、一の前記売買注文申込情報に基づいて、同一種類の前記金融商品を一の価格について指値注文又は逆指値注文する前記注文情報としての第一注文情報と、前記金融商品を他の価格についてそれぞれ指値注文又は逆指値注文する前記注文情報としての第二注文情報とを備える注文情報群を複数生成することを特徴とする。
請求項２に記載の発明は、請求項１に記載の構成に加え、前記相場情報が任意の価格になった時に前記注文情報を約定させる約定情報生成手段を備え、前記注文情報は、未約定状態及び約定状態の何れであるかを決定する注文状態情報を備え、前記約定情報生成手段は、前記第一注文情報及び前記第二注文情報を約定させる際に、前記注文状態情報を前記未約定状態から前記約定状態に変換させることを特徴とする。
【手続補正５】
【補正対象書類名】明細書
【補正対象項目名】０００７
【補正方法】変更
【補正の内容】
【０００７】
請求項３に記載の発明は、請求項１又は２に記載の構成に加え、前記約定情報生成手段は、前記の注文情報群を構成する前記第一注文情報及び前記第二注文情報とを逆の順番に約定させることを特徴とする。
【手続補正６】
【補正対象書類名】明細書
【補正対象項目名】０００８
【補正方法】変更
【補正の内容】
【０００８】
請求項４に記載の発明は、請求項１乃至３の何れか一つに記載の構成に加え、前記注文情報は、指値注文及び逆指値注文の何れであるかを決定する注文条件情報を備えることを特徴とする。
【手続補正７】
【補正対象書類名】明細書
【補正対象項目名】０００９
【補正方法】変更
【補正の内容】
【０００９】
請求項５に記載の発明は、請求項４に記載の構成に加え、一組の前記注文情報群のうち一方の注文情報群は、前記第一注文情報及び前記第二注文情報よりも低い価格について売りの逆指値注文をする第三注文情報を備え、他方の前記注文情報群は、前記第一注文情報及び前記第二注文情報よりも高い価格について買いの逆指値注文をする第四注文情報を備え、前記第三注文情報又は前記第四注文情報が約定された場合、前記一組の注文情報群を形成する約定されていない前記注文情報を全てキャンセル処理することを特徴とする。
【手続補正８】
【補正対象書類名】明細書
【補正対象項目名】００１０
【補正方法】変更
【補正の内容】
【００１０】
請求項６に記載の発明は、請求項５に記載の構成に加え、前記一組の注文情報群は、前記第一注文情報が発注時の前記金融商品の相場価格以下の価格又は発注時の前記金融商品の相場価格よりも下の価格で、前記第二注文情報が発注時の前記金融商品の相場価格以上の価格又は発注時の前記金融商品の相場価格よりも上の価格でそれぞれ発注され、前記第一注文情報は買いの指値注文、前記第二注文情報は売りの指値注文として発注されることを特徴とする。
【手続補正９】
【補正対象書類名】明細書
【補正対象項目名】００１１
【補正方法】変更
【補正の内容】
【００１１】
請求項７に記載の発明は、請求項５に記載の構成に加え、前記一組の注文情報群は、前記第一注文情報及び前記第二注文情報が発注時の前記金融商品の相場価格以上の価格又は発注時の前記金融商品の相場価格よりも上の価格でそれぞれ発注され、前記一方の注文情報群の前記第一注文情報は買いの逆指値注文、前記第二注文情報は売りの指値注文として発注され、前記他方の注文情報群の前記第一注文情報は買いの指値注文、前記第二注文情報は売りの指値注文として発注されることを特徴とする。
【手続補正１０】
【補正対象書類名】明細書
【補正対象項目名】００１２
【補正方法】変更
【補正の内容】
【００１２】
請求項８に記載の発明は、請求項５に記載の構成に加え、前記一組の注文情報群は、前記第一注文情報及び前記第二注文情報が発注時の前記金融商品の相場価格以下の価格又は発注時の前記金融商品の相場価格以下よりも下の価格でそれぞれ発注され、前記一方の注文情報群の前記第一注文情報は買いの指値注文、前記第二注文情報は売りの指値注文として発注され、前記他方の注文情報群の前記第一注文情報は買いの指値注文、前記第二注文情報は売りの逆指値注文として発注されることを特徴とする。
【手続補正１１】
【補正対象書類名】明細書
【補正対象項目名】００１３
【補正方法】変更
【補正の内容】
【００１３】
請求項９に記載の発明は、金融商品の売買取引を管理する金融商品取引管理装置において行われる金融商品取引管理方法であって、ユーザから入力された、前記金融商品の売買注文を行うための売買注文申込情報を受け付ける注文入力受付手段において行われる注文入力受付手順と、該注文入力受付手順において受け付けられた前記売買注文申込情報に基づいて金融商品の注文情報を生成する注文情報生成手段において行われる注文情報生成手順と、
前記注文情報生成手順において生成された前記注文情報を記録手段に記録させると共に該記録手段における前記注文情報の記録状態を管理する取引管理手段において行われる記録管理手順と、前記金融商品の相場情報を取得する相場情報取得手段において行われる相場情報取得手順とを備え、前記注文情報生成手順においては、前記注文情報生成手段によって、一の前記売買注文申込情報に基づいて、同一種類の前記金融商品を一の価格について指値注文又は逆指値注文する前記注文情報としての第一注文情報と、前記金融商品を他の価格についてそれぞれ指値注文又は逆指値注文する前記注文情報としての第二注文情報とを備える注文情報群が複数生成されることを特徴とする。
請求項１０に記載の発明は、プログラムであって、コンピュータを、請求項１乃至請求項８の何れか一つに記載の金融商品取引管理装置として機能させることを特徴とする。
【手続補正１２】
【補正対象書類名】明細書
【補正対象項目名】００１４
【補正方法】変更
【補正の内容】
【００１４】
請求項１、請求項９に記載の発明によれば、注文情報を約定させる際に、注文状態情報を未約定状態から約定状態に変換することで、注文情報ごとの約定の有無を記録できる。また、一の売買注文申込情報に基づいて、同一種類の金融商品を一の価格について指値注文する注文情報としての第一注文情報と、金融商品を他の価格についてそれぞれ指値注文する注文情報としての第二注文情報とを備える注文情報群を複数生成することで、一の注文手続きに基づいて、コンピュータシステム上でイフダンオーダーによる取引を自動的に複数回繰り返して行わせることを実現できる。これにより、金融商品の指値注文において、システムを利用する顧客が煩雑な注文手続を行うことなく、リスクを回避しつつ収益機会を十分に活用して合理的な取引を行うことができる。
【手続補正１３】
【補正対象書類名】明細書
【補正対象項目名】００１５
【補正方法】変更
【補正の内容】
【００１５】
請求項３に記載の発明によれば、注文情報群を構成する第一注文情報及び第二注文情報とを逆の順番に約定させることにより、複数の注文情報群を逐次約定する際に第一注文情報及び第二注文情報が一対づつ約定されることになり、顧客は約定する際に一の注文情報だけが約定される場合よりも高い収益を得ることができる。これにより、システムを利用する顧客が煩雑な注文手続を行うことなく、リスクを回避しつつ収益機会を十分に活用して合理的な取引を行うことができる。
【手続補正１４】
【補正対象書類名】明細書
【補正対象項目名】００１６
【補正方法】変更
【補正の内容】
【００１６】
請求項４に記載の発明によれば、注文情報は、指値注文及び逆指値注文の何れであるかを決定する注文条件情報を備えることにより、最初に約定される第一注文の注文情報が発注時の相場価格よりも高い買いの指値注文又は逆指値注文である場合や、最初に約定される第一注文の注文情報が発注時の相場価格よりも低い売りの指値注文又は逆指値注文である場合にも、イフダンオーダーによる取引を実現できる。これにより、相場の状況等に即した多様な取引に本発明を適用し、顧客にとって利便性の高いシステムを実現できる。
【手続補正１５】
【補正対象書類名】明細書
【補正対象項目名】００１７
【補正方法】変更
【補正の内容】
【００１７】
請求項５に記載の発明によれば、第一注文情報及び第二注文情報よりも低い価格について売りの逆指値注文をする第三注文情報、又は第一注文情報及び第二注文情報よりも高い価格について買いの逆指値注文をする第四注文情報が約定された場合、一組の注文情報群を形成する約定されていない注文情報を全てキャンセル処理することにより、相場価格が一定価格よりも上昇又は下落することで顧客が不利益を被る事態を防止し、顧客のリスクを回避することができる。
【手続補正１６】
【補正対象書類名】明細書
【補正対象項目名】００１８
【補正方法】変更
【補正の内容】
【００１８】
請求項６に記載の発明によれば、第一注文情報の価格が発注時の金融商品の相場価格以下の価格又は発注時の金融商品の相場価格よりも下の価格で、第二注文情報の価格が発注時の金融商品の相場価格以上の価格又は発注時の金融商品の相場価格よりも上の価格である場合において、イフダンオーダーによる取引でリスクを回避しつつ収益機会を十分に活用して合理的な取引を自動的に行うことができる。これにより、顧客にとって利便性の高いシステムを実現できる。
【手続補正１７】
【補正対象書類名】明細書
【補正対象項目名】００１９
【補正方法】変更
【補正の内容】
【００１９】
請求項７に記載の発明によれば、第一注文情報及び第二注文情報が発注時の金融商品の相場価格以上の価格又は発注時の金融商品の相場価格よりも上の価格である場合において、イフダンオーダーによる取引でリスクを回避しつつ収益機会を十分に活用して合理的な取引を自動的に行うことができる。これにより、相場の状況等に即した多様な取引に本発明を適用し、顧客にとって利便性の高いシステムを実現できる。
【手続補正１８】
【補正対象書類名】明細書
【補正対象項目名】００２０
【補正方法】変更
【補正の内容】
【００２０】
請求項８に記載の発明によれば、第一注文情報及び第二注文情報が発注時の金融商品の相場価格以下の価格又は発注時の金融商品の相場価格よりも下の価格である場合において、イフダンオーダーによる取引でリスクを回避しつつ収益機会を十分に活用して合理的な取引を行うことができる。これにより、相場の状況等に即した多様な取引に本発明を適用し、顧客にとって利便性の高いシステムを実現できる。
【手続補正１９】
【補正対象書類名】明細書
【補正対象項目名】００２１
【補正方法】変更
【補正の内容】
【００２１】
請求項１０に記載の発明によれば、本発明の金融商品取引管理装置をプログラム化し、多様なコンピュータハードウェア上で実現させることができる。